(57)【要約】【課題】レール上を転動するローラにより吊下げ式で開閉する折戸開閉機構において、レールに対してローラの外れ防止を図るとともに、走行時の横振れも規制して安定に開閉案内することが可能であり、更に組立施工性にも優れた折戸開閉機構における案内装置を提供する。【解決手段】上部に設けたレール部材１９上を転動するローラ３０により吊下げ式で開閉する折戸開閉機構において、レール部材１９は水平部１９Ａの端縁にレール２０を形成するとともに、該水平部の下面で該レールの転動線から離れた後方位置に下方開放したガイド溝２８を形成し、折戸を支持する吊支金具２９の上部にレール上を転動する単又は直列に配した複数のローラ３０を突設し、外れ防止部材３２の支持板３８の上面に突設した走行部（補助ローラ３９）をガイド溝内に係合した状態で、支持板を吊支金具に着脱可能に連結した。【選択図】        図７
2008025280.tif 000002
【特許請求の範囲】
【請求項１】
上部に設けたレール部材上を転動するローラにより吊下げ式で開閉する折戸開閉機構において、前記レール部材は水平部の前端縁にレールを形成するとともに、該水平部の下面で該レールの転動線から離れた後方位置に下方開放したガイド溝を形成し、折戸を支持する吊支金具の上部に前記レール上を転動する単又は直列に配した複数のローラを突設し、外れ防止部材の支持板の上面に突設した転動若しくは摺動可能な走行部を前記ガイド溝内に係合した状態で、該支持板を前記吊支金具に着脱可能に連結したことを特徴とする折戸開閉機構における案内装置。
【請求項２】
前記吊支金具の垂直な基板の側面に単又は複数のローラを回動可能に突設し、該基板の下端に折曲形成した下板を折戸の上端面に直接的又は間接的に取付けた状態で、両ローラを前記レールに正面側から載置し、前記外れ防止部材の走行部を前記ガイド溝内に移動可能となして係合した後、レールに沿って移動させて前記ローラの下方位置で前記支持板を基板にネジ止めしてなる請求項１記載の折戸開閉機構における案内装置。
【請求項３】
前記レール部材のガイド溝は、前後壁面が前記走行部を転動若しくは摺動案内するレール面となっており、後方のレール面の縁部には前方へ突出した係合片を形成している請求項１又は２記載の折戸開閉機構における案内装置。
【請求項４】
（追加）
前記外れ防止部材の走行部が、前記支持板の上面両側部に突設した垂直な回転軸を備えた一対の補助ローラである請求項１〜３何れかに記載の折戸開閉機構における案内装置。
【請求項５】
前記折戸は、戸先側パネルと戸尻側パネルとを中間連結体を介して等角回動可能に連結するとともに、前記戸先側パネルの側部に横幅の狭い袖パネルを配して該戸先側パネルと側部ヒンジ部で自由回動可能に直接連結したものであり、前記袖パネルを吊支する吊支金具には二つのローラを並設してなる請求項１〜４何れかに記載の折戸開閉機構における案内装置。
【発明の詳細な説明】
【技術分野】
【０００１】
本発明は、折戸開閉機構における案内装置に係わり、更に詳しくはレール上を転動するローラにより吊下げ式で開閉する折戸を安定に開閉案内する装置に関するものである。
【背景技術】
【０００２】
従来から、ヒンジで連結した二枚の戸先側パネルと戸尻側パネルを折畳んで開放したり、伸展して閉止したりする折戸は各種提供されている。特許文献１には、戸先側と戸尻側パネルのそれぞれの側部に横幅の狭い袖パネルをヒンジにて連結し、該袖パネルの上端部に設けたランナの４個の車輪を、断面略Ｃ字形レールの内部で両側ガイド溝の上を転動するように配置し、折戸の開閉時に前記袖パネルがレールに沿って直線的に移動する開閉機構が開示されている。ここで、前記ランナはレール内部に位置し、左右２個ずつの車輪がそれぞれレール内両側のガイド溝上を走行する構造であるので、脱輪することはないが、レールの構造やランナの構造が複雑になるばかりでなく、組立施工性に問題がある。
【０００３】
そこで、レールと車輪若しくはローラによる案内装置の構造を単純化するために、一本のレール上をローラが走行するように構成することが考慮されるが、ローラの脱輪や走行時の振れの問題が生じる。脱輪の問題については、特許文献２に示すように、吊り金具の上部に側設した溝付きローラをレールの上縁に載支するとともに、吊り金具の下部に取付位置を上下方向に微調節できる抑えローラを、レールの下縁に当接若しくは接近させて配置する構造が提案されている。また、特許文献３には、戸吊金に調整金を取付けた戸吊具を引戸の上端両側部に取付けて断面略Ｊ字形のレールに移動可能に吊下げる構造が開示され、前記調整金には上部にローラを側設するとともに、その下方に外れ防止用ローラを上下変位可能に設け、外れ防止用ローラを下降させた状態でローラを正面側からレールに載置した後、外れ防止用ローラを上動させてレールとの間隔を狭める構造が開示されている。
【０００４】
特許文献２と特許文献３とも、外れ防止用ローラを上下変位させる構造として、座板の一方に回転軸を突設するとともに、他方に該回転軸に対して偏心させて取付軸を突設し、回転軸に外れ防止用ローラを回転可能に支持し、取付軸を調整金に形成した孔に貫通させてナットで締着する構造を採用し、取付軸を回転調節することにより外れ防止用ローラを上下変位させるのである。しかし、取付軸を固定しているナットが経年変化で弛み、座板が回転して外れ防止用ローラがレールから離れ、その機能を果たさなくなることも考えられる。また、走行時の振れの問題は、直列に２個のローラを設けることで、ある程度は改善するが、床面に案内レールが存在しない吊下げ式の折戸では、パネルの面外方向の横振れは防止できない。
【特許文献１】特開平８−１６５８３９号公報
【特許文献２】実公昭３２−１８２７号公報
【特許文献３】特許第３３４７８４３号公報
【発明の開示】
【発明が解決しようとする課題】
【０００５】
そこで、本発明が前述の状況に鑑み、解決しようとするところは、レール上を転動するローラにより吊下げ式で開閉する折戸開閉機構において、レールに対してローラの外れ防止を図るとともに、走行時の横振れも規制して安定に開閉案内することが可能であり、更に組立施工性にも優れた折戸開閉機構における案内装置を提供する点にある。
【課題を解決するための手段】
【０００６】
本発明は、前述の課題解決のために、上部に設けたレール部材上を転動するローラにより吊下げ式で開閉する折戸開閉機構において、前記レール部材は水平部の前端縁にレールを形成するとともに、該水平部の下面で該レールの転動線から離れた後方位置に下方開放したガイド溝を形成し、折戸を支持する吊支金具の上部に前記レール上を転動する単又は直列に配した複数のローラを突設し、外れ防止部材の支持板の上面に突設した転動若しくは摺動可能な走行部を前記ガイド溝内に係合した状態で、該支持板を前記吊支金具に着脱可能に連結したことを特徴とする折戸開閉機構における案内装置を構成した（請求項１）。
【０００７】
具体的には、前記吊支金具の垂直な基板の側面に単又は複数のローラを回動可能に突設し、該基板の下端に折曲形成した下板を折戸の上端面に直接的又は間接的に取付けた状態で、両ローラを前記レールに正面側から載置し、前記外れ防止部材の走行部を前記ガイド溝内に移動可能となして係合した後、レールに沿って移動させて前記ローラの下方位置で前記支持板を基板にネジ止めしてなるのである（請求項２）。
【０００８】
また、前記レール部材のガイド溝は、前後壁面が前記走行部を転動若しくは摺動案内するレール面となっており、後方のレール面の縁部には前方へ突出した係合片を形成していることがより好ましい（請求項３）。
【０００９】
ここで、前記外れ防止部材の走行部が、前記支持板の上面両側部に突設した垂直な回転軸を備えた一対の補助ローラであるとより好ましい（請求項４）。
【００１０】
そして、前記折戸は、戸先側パネルと戸尻側パネルとを中間連結体を介して等角回動可能に連結するとともに、前記戸先側パネルの側部に横幅の狭い袖パネルを配して該戸先側パネルと側部ヒンジ部で自由回動可能に直接連結したものであり、前記袖パネルを吊支する吊支金具には二つのローラを並設してなることがより好ましい（請求項５）。
【発明の効果】
【００１１】
以上にしてなる請求項１に係る発明の折戸開閉機構における案内装置によれば、折戸を支持する吊支金具の上部に突設したローラがレール部材のレール上を転動し、該レールの転動線から離れた位置で外れ防止部材の支持板の上面に突設した走行部がレール部材のガイド溝内で転動若しくは摺動するので、レール部材に対して安定な状態で走行案内することができ、またローラがレールから脱輪することがなく、しかも経年変化がないのでメンテンナンスが不要である。また、複数のローラを直列に設けた場合には、レール部材に対して吊支金具の左右の揺れを確実に規制して走行案内することができる。更に、吊支金具に外れ防止部材を連結することにより、該吊支金具の剛性強度が増し、耐久性の向上が図れるのである。
【００１２】
請求項２によれば、吊支金具の基板の下端に折曲形成した下板を折戸の上端面に直接的又は間接的に取付けた状態で、両ローラを前記レールに正面側から載置し、それから吊支金具から離れた左右位置で、外れ防止部材の走行部を前記ガイド溝内に移動可能に係合した後、レールに沿って移動させて前記ローラの下方位置で前記支持板を基板にネジ止めするので、前面側からのみの施工で済むので、施工性に優れている。
【００１３】
請求項３によれば、レール部材のガイド溝な前後壁面にレール面を有しているので、外れ防止部材の走行部をスムーズに転動案内することができ、しかも後方のレール面の縁部には前方へ突出した係合片を形成しているので、走行部をガイド溝に係合し、支持板を吊支金具に連結した状態では、該走行部がガイド溝から脱落する恐れが全くないのである。
【００１４】
請求項４によれば、前記外れ防止部材の走行部が、前記支持板の上面両側部に突設した垂直な回転軸を備えた一対の補助ローラであると、レール部材に対して前後左右は勿論のこと、捩れが規制された状態で折戸を安定に走行案内することができる。また、直列に二つの補助ローラを設けることにより、レーブ部材に対して捩れ、つまり垂直な軸周りの回転を確実に規制することができる。
【００１５】
請求項５によれば、戸先側パネルと戸尻側パネルとを中間連結体を介して等角回動可能に連結するとともに、前記戸先側パネルの側部に横幅の狭い袖パネルを配して該戸先側パネルと側部ヒンジ部で自由回動可能に直接連結した構造の折戸の場合、袖パネルはレールに沿った直線運動するが、前記袖パネルを吊支する吊支金具に二つのローラを並設することにより、直進性が極めて安定するのである。
【発明を実施するための最良の形態】
【００１６】
次に、添付図面に示した実施形態に基づき、本発明を更に詳細に説明する。図１は本発明に係る折戸装置の全体を示し、図２〜図４は折戸装置の詳細を示し、図中符号１は折戸、２は戸先側の側框、３は戸尻側の側框、４は上框をそれぞれ示している。
【００１７】
そして、前記折戸１は、戸先側パネル５と戸尻側パネル６とを中間連結体７を介して等角回動可能に連結するとともに、前記戸先側パネル５の側部に横幅の狭い袖パネル８を配して該戸先側パネル５と側部ヒンジ部９で自由回動可能に直接連結した構造となっている。
【００１８】
前記中間連結体７は、縦長帯状の閉塞部材１０の上下端をそれぞれ等角ヒンジ１１，１１で前記戸先側パネル５と戸尻側パネル６の側部上下端に連結して構成している。ここで、前記閉塞部材１０は両側に円柱部１０Ａ，１０Ａを有し、その中間を連結部１０Ｂで一体化した形状を有している。前記等角ヒンジ１１は本体部１１Ａから突出した２枚のウイング１１Ｂ，１１Ｂが連動して同じ角度だけ回動するようになっており、該ウイング１１Ｂ，１１Ｂを前記戸先側パネル５と戸尻側パネル６の側部上下端にネジ止めする。中間連結体７における回動中心は、前記閉塞部材１０の各円柱部１０Ａの中心であり、前記戸先側パネル５と戸尻側パネル６の各側端には同一の型材からなる目地部材１２が取付けられ、該目地部材１２の両側縁に突設した一対の断面略ハ字形の突片１２Ａ，１２Ａ間に前記円柱部１０Ａの一部を非接触状態で受け入れて、光漏れと指詰防止を図っている。
【００１９】
また、前記側部ヒンジ部９は、前記袖パネル８の側端に断面が半円柱状部１３を形成し、該半円柱状部１３の上下端と前記戸先側パネル５の側部上下端とを自由ヒンジ１４，１４で回動可能に連結して構成している。側部ヒンジ部９における回動中心は、前記半円柱状部１３の曲率半径に相当する位置であり、前記戸先側パネル５の側端には前記同様な目地部材１２が取付けられ、該目地部材１２の両突片１２Ａ，１２Ａ間に前記半円柱状部１３の一部を非接触状態で受け入れて、光漏れと指詰防止を図っている。
【００２０】
そして、前記袖パネル８の戸先側端部には軟質材料で作製した戸当り１５を取付けるととともに、表裏両面には引手１６，１６を突設している。一方、前記戸尻側パネル６の戸尻側端部には、上下端部を除き凹部１７を形成し、該凹部１７に軟質材料から作製したパッキン１８を装着し、前記戸尻側の側框３との間に仮に指を挟んでも怪我をしないようにしている。
【００２１】
次に、前記折戸１の開閉機構を説明する。図１及び図２に示すように、前記上框４の内部にアルミ押出し型材からなるレール部材１９を間口全体にわたって横設し、該レール部材１９に一体形成した１条のレール２０に、前記袖パネル８の上端に設けた戸先側吊支体２１と、前記戸尻側パネル６の戸尻側端部上端に設けた戸尻側吊支体２２を用いて移動可能に吊下げる。
【００２２】
そして、前記レール部材１９の戸先側端部に設けた定荷重ばね装置２３から繰り出されたワイヤー（図示せず）を戸先側吊支体２１に連結して、前記折戸１が伸展する方向、つまり閉じ方向に一定荷重で付勢している。また、前記戸先側吊支体２１には、水平な回転軸を有する回転ダンパー２４を設け、前記レール部材１９の戸先側と戸尻側の端部にレール２０の沿って並設したラック２５，２５に前記回転ダンパー２４がそれぞれ噛合するよになっている。前記戸先側のラック２５と回転ダンパー２４とは、折戸１の閉止直前から閉止するまでの動作を緩慢にする機能を果たし、一方、戸尻側のラック２５と回転ダンパー２４とは、開放状態の折戸１の閉止動作を遅らせる機能を果たし、車椅子に乗った人や点滴器具を押して移動する人が自らの操作で出入りする際に、通過のための余裕時間を確保するのである。
【００２３】
次に、本発明の折戸開閉機構における案内装置を更に詳しく説明する。前記折戸１は、戸先側パネル５と戸尻側パネル６とが中間連結体７で連結した部分を表裏一方へ屈曲するように動作することで開くことができるが、前記引手１６を持って袖パネル８をレール２０に沿って移動させるだけで、折戸１の屈曲動作を引き起こすためには付加的な機能が必要である。本実施形態では、折戸１の開放動作の直後には全体がレール２０の沿って直線運動し、それから戸先側パネル５を蹴り出し手段２６で面外方向へ蹴り出すとともに、戸尻側パネル６の戸尻側端部に設けた回動手段２７で開放方向に強制的に回動させるようにしている。
【００２４】
具体的には、前記蹴り出し手段２６は、戸先側パネル５の左右中間部の上端に側設したピン２６Ａを上框４に設けたガイドブロック２６Ｂの傾斜面で摺動押出しする構造である。ここで、折戸１が閉止状態では、前記ピン２６Ａがガイドブロック２６Ｂに係合しているので、前記戸先側パネル５と戸尻側パネル６とに面外方向から力が加わっても横に振れることがなく、閉止状態が安定に維持される。
【００２５】
また、前記回動手段２７は、平面視略扇形のカム歯車２７Ａを、その中心を前記戸尻側吊支体２２に対して戸尻側パネル６を回動可能に連結した回動中心に一致させて前記戸尻側パネル６に回動可能に連結する一方、該カム歯車２７Ａが噛合する短いラック２７Ｂを上框４に固定し、更に前記カム歯車２７Ａが一定の回転角度だけ回動するように規制するストッパー（図示せず）を戸尻側パネル６に設けて構成している。従って、折戸１が閉止状態から開き始めると、先ずカム歯車２７Ａがラック２７Ｂに噛合した状態で戸尻側パネル６に対して自由に回転し、その結果、該戸尻側パネル６はレール２０に沿った直線運動をし、その後ストッパーでカム歯車２７Ａの回転が規制されるが、引き続き該カム歯車２７Ａはラック２７Ｂで回転力が付与されるので、戸尻側パネル６と一体となって回転し、該戸尻側パネル６を強制的に回転させる。一旦、前記戸先側パネル５と戸尻側パネル６とが折れ曲がると、その後は軽い力でより開放する方向へ屈曲させることが可能となる。
【００２６】
前記戸先側吊支体２１を図５〜図８に基づいて説明する。先ず、前記レール部材１９は、水平部１９Ａと垂直部１９Ｂとを有する断面の概略が略Ｌ字形であり、下部の水平部１９Ａの端縁に前記レール２０を立上げて形成するとともに、該水平部１９Ａの下面の後方寄り、つまりコーナー寄りに下方開放したガイド溝２８を形成し、また前記垂直部１９Ｂの上縁前面側に係合溝１９Ｃを形成している。ここで、前記係合溝１９Ｃは、前記定荷重ばね装置２３、ラック２５，２５を取付けるために利用している。前記ガイド溝２８は、前後壁面がレール面２８Ａ，２８Ａとなっており、後方側、つまりコーナー側のレール面２８Ａの縁部には前方へ突出した係合片２８Ｂを形成している。
【００２７】
そして、前記戸先側吊支体２１は、側面視略Ｌ字形の吊支金具２９と、大小二つのローラ３０，３１と、外れ防止部材３２とからなっている。前記吊支金具２９の垂直な基板３３の側面に大径のローラ３０を回転可能に軸着するとともに、小径のローラ３１をその回動軸３４を基板３３の形成した傾斜長孔３５に貫通し、ナット３６で回動軸３４に形成した螺軸に螺合して高さ調節可能に取付けている。そして、前記吊支金具２９の基板３３の下端に折曲形成した下板３７を前記袖パネル８の上端面にネジ止めして取付け、そして前記大小のローラ３０，３１を正面側から前記レール２０に載置する。この際に、前記袖パネル８が水平になるように、前記小径ローラ３１の高さを調節する。このように二つのローラ３０，３１をレール２０に直列に載置することにより、前記戸先側吊支体２１の左右の揺れは規制される。
【００２８】
尚、前記大小二つのローラ３０，３１を用いる代わりに、同じ大きさの二つのローラを傾動板に並設し、該傾動板を前記吊支金具２９の側面に水平な回動軸で枢着しても良い。この場合には、前記折戸１の重心バランスによって袖パネル８の姿勢が決定される。
【００２９】
そして、前記外れ防止部材３２は、支持板３８の水平片３８Ａの上面両側部に、前記ガイド溝２８内を移動する走行部として、垂直な回転軸を備えた一対の補助ローラ３９，３９を突設し、水平片３８Ａの前縁に垂直片３８Ｂを有するものである。前記垂直片３８Ｂには二つの螺孔４０，４０を形成している。そして、前記吊支金具２９のローラ３０，３１をレール２０に載置した吊下げ状態で、前記外れ防止部材３２の補助ローラ３９，３９を斜め下方から前記レール部材１９のガイド溝２８内に挿入し、水平片３８Ａを水平に起して垂直片３８Ｂを前記基板３３の裏面に当接し、その状態でレール部材１９に沿ってスライド移動させ、該基板３３に開設した取付孔４１，４１と垂直片３８Ｂの螺孔４０，４０を位置合わせして、取付孔４１に前方からネジ４２を通して前記螺孔４０に螺合する。前記外れ防止部材３２の補助ローラ３９，３９は、前記ガイド溝２８の両レール面２８Ａ，２８Ａで案内されてレール２０に平行状態を保ち転動する。また、前記ガイド溝２８の係合片２８Ｂの存在により、前記支持板３８を前記吊支金具２９にネジ止めした後には、前記補助ローラ３９，３９がガイド溝２８内から脱落することがないのである。尚、前記レール部材１９は、前記上框４の内部に架設した横桟４３を介して水平に支持されている。
【００３０】
このように、前記戸先側吊支体２１は、直列に配した二つのローラ３０，３１がレール２０上を転動し、該レール２０の転動線から離れた位置で直列に配した二つの補助ローラ３９，３９がガイド溝２８内で転動するので、レール部材１９に対して前後左右及び捩れが規制された状態で安定に走行することができるのである。つまり、図８に示すように、前記レール２０の中心線（転動線）と、前記ガイド溝２８の位置が平面において前後にずれているので、折戸１を開放する際に、引手１６を持って横方向に力を加えた場合、前記袖パネル８には回転する方向にモーメントが作用するが、前記戸先側吊支体２１によってレール２０に沿って移動させることができるのである。尚、前記補助ローラ３９，３９の代わりに、ガイド溝２８の方向に延びた長尺のスライダー若しくは支持板３８の水平片３８Ａの上面両側部に突設した一対のスライダーでも同様な効果が得られるが、本実施形態のように補助ローラ３９を設ける方がスムーズな案内という点でより好ましい。
【００３１】
また、前記戸尻側吊支体２２は、前記戸先側吊支体２１と基本的には同じ構成であるが、図９に示すように、側面視略Ｌ字形の吊支金具４４の基板４５に一つのローラ４６を回転可能に側設し、下板４７に垂直な吊支軸４８で前記戸尻側パネル６の端部上端に回転可能に吊下げている。そして、前記吊支軸４８には、前記回動手段２７を構成するカム歯車２７Ａを回転可能に外装している。尚、前記同様の外れ防止部材３２を用い、前記吊支金具４４の基板４５に形成した取付孔４９，４９を利用してネジ５０にて取付ける。
【００３２】
本発明に係る折戸開閉機構は、図１０に示した閉止状態から、前記引手１６を持ってレール２０に沿って前記袖パネル８を移動させると、前記戸先側パネル５と戸尻側パネル６とが中間連結体７を介して１８０°折れ曲がり、図１１に示すように、重なった状態で戸尻側の側框３から直角に突出する。前記折戸１の開放動作の終期に、前記戸先側パネル５と戸尻側パネル６が折り畳まれると同時に、側框３の下部に設けた水平な移動規制板５１の孔５２に、戸尻側パネル６の回動中心の下端に弾性的に突設したボール５３を受け入れるとともに、前記横桟４３の戸尻側端部に突設した移動規制板５４の係合部に前記吊支軸４８を受け入れてそれ以上の移動を規制する。
【００３３】
前記戸尻側の側框３は、図１０〜図１２に示すように、前記折戸１が閉止動作時に直線移動するので、その移動量を考慮して余裕を持たせた形状となっており、戸袋枠を兼用しているのである。具体的には、前記側框３は、断面略Ｌ字形の概略形状であり、表裏一側部に前記レール２０に沿った目隠し壁部５５と、間口部の終端を形成する端面壁部５６とを有し、図１０及び図１２（ａ）に示した閉止状態で、前記目隠し壁部５５と戸尻側パネル６の端部は僅かの間隙を設けて前後に重なった状態となっている。そして、前記戸尻側パネル６の戸尻側端部の表側、即ち前記目隠し壁部５５とは反対側には、上下端部を除き凹部１７を形成し、該凹部１７に軟質材料から作製したパッキン１８を装着しているが、該パッキン１８はスチール製の端面５７よりも側方へ突出設定している。前記パッキン１８の端部と前記端面壁部５６との間には十分な広さの空間部Ｓが設定されている。この空間部Ｓは、不意に指を差し入れるのに十分な広さを有している。
【００３４】
それから、折戸１を開き始めると、図１２（ｂ）に示すように、最初は直線移動だけであるが、途中から図１２（ｃ）、（ｄ）に示すように回転運動を伴いながら、パッキン１８の端部と前記端面壁部５６との間の空間部Ｓが狭まる。この時に、最も指詰めの危険性が高いが、前記パッキン１８が軟質材料で作製され、しかも前記戸尻側パネル６の端面５７よりも側方へ突出設定しているので、仮にこの空間部Ｓに指を挟んだとしても当該パッキン１８が変形して指を保護するのである。そして、最終的に、図１２（ｅ）に示すように折戸１が開放されると、前記端面壁部５６の上下端部に突設した弾性材料からなる緩衝部材５８，５８に戸尻側パネル６が当止される。
【００３５】
ここで、前記パッキン１８は、前記凹部１７の側面にネジ止めするための金属製の保持板５９を合成ゴムや合成樹脂でインサート成形して一体化し、保持板５９から戸尻側パネル６の表面に沿って側方へ延び、それから後方へ延びた断面略Ｌ字状の緩衝部６０とからなっている。そして、仮に前記空間部Ｓに指を挟んでも、前記パッキン１８の緩衝部６０が容易に変形して凹部１７内に退避するので、指が怪我をする恐れがないのである。
【００３６】
また、図１０及び図１１に示すように、前記中間連結体７及び側部ヒンジ部９においても指詰め防止を図っている。つまり、前記閉塞部材１０の円柱部１０Ａあるいは前記袖パネル８の半円柱状部１３と、前記目地部材１２の突片１２Ａ，１２Ａとの間には僅かの隙間しか設定せず、折戸１の開閉時に常に一定の隙間を維持するので、指詰めの可能性は皆無である。尚、前記閉塞部材１０の円柱部１０Ａと連結部１０Ｂの間には、前記目地部材１２の突片１２Ａを受け入れるための逃し溝１０Ｃを形成している。ここで、前記連結部１０Ｂは、小径の円柱状として示したが、単に平板状の形状でも良い。
【図面の簡単な説明】
【００３７】
【図１】折戸の全体を示す簡略正面図である。
【図２】折戸開閉機構を示し、（ａ）は図１のＸ−Ｘ線断面図、（ｂ）は図１のＹ−Ｙ線断面図、（ｃ）は図１のＺ−Ｚ線断面図である。
【図３】折戸の全体を一部破断して示した簡略平面図である。
【図４】折戸の分解斜視図である。
【図５】戸先側吊支体の分解斜視図である。
【図６】同じく施工途中の状態を示す部分断面図である。
【図７】同じく施工後の状態を示す部分断面図である。
【図８】袖パネルとレール及びガイド溝の補助ローラの関係を示す説明用平面図である。
【図９】戸尻側吊支体の施工後の状態を示す部分断面図である。
【図１０】折戸の閉止状態を示す説明用平面図である。
【図１１】折戸の開放状態を示す説明用平面図である。
【図１２】折戸の戸尻部分の動作を説明する簡略断面図であり、（ａ）は折戸の閉止状態、（ｂ）〜（ｄ）は折戸の開放途中の状態、（ｅ）は折戸の開放状態を示す。
【符号の説明】
【００３８】
１  折戸、              ２  戸先側の側框、
３  戸尻側の側框、      ４  上框、
５  戸先側パネル、      ６  戸尻側パネル、
７  中間連結体、        ８  袖パネル、
９  側部ヒンジ部、      １１  等角ヒンジ、
１２  目地部材、        １３  半円柱状部、
１４  自由ヒンジ、      １５  戸当り、
１６  引手、            １７  凹部、
１８  パッキン、        １９  レール部材、
２０  レール、          ２１  戸先側吊支体、
２２  戸尻側吊支体、    ２３  定荷重ばね装置、
２４  回転ダンパー、    ２５  ラック、
２６  蹴り出し手段、    ２７  回動手段、
２８  ガイド溝、        ２９  吊支金具、
３０  ローラ、          ３１  ローラ、
３２  外れ防止部材、    ３３  基板、
３４  回動軸、          ３５  傾斜長孔、
３６  ナット、          ３７  下板、
３８  支持板、          ３９  補助ローラ、
４０  螺孔、            ４１  取付孔、
４２  ネジ、            ４３  横桟、
４４  吊支金具、        ４５  基板、
４６  ローラ、          ４７  下板、
４８  吊支軸、          ４９  取付孔、
５０  ネジ、            ５１  移動規制板、
５２  孔、              ５３  ボール、
５４  移動規制板、      ５５  目隠し壁部、
５６  端面壁部、        ５７  端面、
５８  緩衝部材、        ５９  保持板、
６０  緩衝部、
Ｓ  空間部。
【図１】
2008025280.tif 000003
【図２】
2008025280.tif 000004
【図３】
2008025280.tif 000005
【図４】
2008025280.tif 000006
【図５】
2008025280.tif 000007
【図６】
2008025280.tif 000008
【図７】
2008025280.tif 000009
【図８】
2008025280.tif 000010
【図９】
2008025280.tif 000011
【図１０】
2008025280.tif 000012
【図１１】
2008025280.tif 000013
【図１２】
2008025280.tif 000014